(57)【要約】【課題】  リアルタイムに番組を見ながらコマーシャルをスキップする。【解決手段】  受信されたテレビジョン放送番組の映像信号及び音声信号を記憶媒体に蓄積する蓄積手段と、前記記憶媒体より前記映像信号と音声信号を読み出して映像モニタと音声モニタに出力する再生手段と、前記蓄積手段による前記テレビジョン放送番組の映像信号及び音声信号の蓄積中に、前記記憶手段に蓄積された前記テレビジョン放送番組の映像信号と音声信号とを通常再生速度よりも遅い所定の速度で再生すると共に、前記テレビジョン番組中の所定の部分をスキップして再生するよう前記再生手段を制御する制御手段とを備える。【選択図】  図３
2005142821.tif 000002
【特許請求の範囲】
【請求項１】
テレビジョン放送を受信する受信手段と、
前記受信手段により受信されたテレビジョン放送番組の映像信号及び音声信号を記憶媒体に蓄積する蓄積手段と、
前記記憶媒体より前記映像信号と音声信号を読み出して映像モニタと音声モニタに出力する再生手段と、
前記蓄積手段による前記テレビジョン放送番組の映像信号及び音声信号の蓄積中に、前記記憶手段に蓄積された前記テレビジョン放送番組の映像信号と音声信号とを本来の前記テレビジョン番組の放送期間よりも所定期間長く再生すると共に、前記テレビジョン番組中の所定の部分をスキップして再生するよう前記再生手段を制御する制御手段とを備える受信装置。
【請求項２】
前記所定の部分はコマーシャル部分であることを特徴とする請求項１記載の受信装置。
【請求項３】
前記再生手段は、前記記憶媒体から読み出した音声信号の音程を再生速度に応じて変更する音程制御手段を有することを特徴とする請求項１記載の受信装置。
【請求項４】
前記音程制御手段は、前記再生された音声信号の音声ピッチを通常再生時の音声ピッチに戻すことを特徴とする請求項３記載の受信装置。
【請求項５】
テレビジョン放送を受信する受信手段と、
前記受信手段により受信されたテレビジョン放送番組の映像信号及び音声信号を記憶媒体に蓄積する蓄積手段と、
前記記憶媒体より前記映像信号と音声信号を読み出して映像モニタと音声モニタに出力する再生手段と、
前記蓄積手段による前記テレビジョン放送番組の映像信号及び音声信号の蓄積中に、前記記憶手段に蓄積された前記テレビジョン放送番組の映像信号と音声信号とを通常再生速度よりも遅い所定の速度で再生すると共に、前記テレビジョン番組中の所定の部分をスキップして再生するよう前記再生手段を制御する制御手段とを備える受信装置。
【請求項６】
テレビジョン放送を受信する受信手段と、
前記受信手段により受信されたテレビジョン放送番組の映像信号及び音声信号を記憶媒体に蓄積する蓄積手段と、
前記記憶媒体より前記映像信号と音声信号を読み出して映像モニタと音声モニタに出力する再生手段と、
前記蓄積手段による前記テレビジョン放送番組の映像信号及び音声信号の蓄積中に、前記記憶手段に蓄積された前記テレビジョン放送番組の映像信号と音声信号とを通常再生速度よりも遅い所定の速度で再生すると共に、前記テレビジョン番組中の所定の部分を前記通常再生速度よりも速い速度で再生するよう前記再生手段を制御する制御手段とを備える受信装置。
【請求項７】
前記所定の部分の再生速度を任意の速度に変更する速度指示手段を備えたことを特徴とする請求項６記載の受信装置。
【請求項８】
前記記憶媒体はランダムアクセス媒体であることを特徴とする請求項１から７記載の受信装置。
【発明の詳細な説明】
【技術分野】
【０００１】
本発明はテレビジョン放送を受信する受信装置に関する。
【背景技術】
【０００２】
近年、受信したテレビ放送番組をハードディスク（ＨＤＤ）に蓄積するレコーダが知られている。
【０００３】
この様なＨＤＤを使った装置が特許文献１に開示されているが、追いかけ再生機能に代表されるようなＶＴＲでは出来なかったさまざまな機能がある。
【０００４】
この追いかけ再生機能では、ユーザは、現在記録している番組の残り部分を記録しながら、その番組の先に記録された部分を見ることができる。
【０００５】
例えば、現在記録されていて、まだ半分しか記録が完了していないが番組を見始めると、ビデオ記録装置は、順に番組の記録を続け、ユーザか見ている番組部である３０分番組の開始部分を見たいユーザのために、後半１５分の番組の記録を続けながら、ユーザがその番組を開始部分から見ることができるようにする。ユーザ分と記録されている番組部分との間に、一定の時間差が生じるようにする。番組の記録が終了すると、ユーザは、番組全体を見終わるまで、番組を順に見続けることができる。また、ユーザは、番組の残り部分が記録されている間に、番組の既に記録された部分の早送りや巻き戻しを行うこともできる。また、ユーザは、既に記録されたビデオ放送を見ながら、同時に、別のビデオ放送を記録することもできる。このように記録動作と再生動作を同時に行うことができるものである。
【０００６】
また、特許文献２、３では、記録した番組を再生するときにコマーシャル部分をスキップする装置が開示されている。つまり、録画したものを再生時に、コマーシャルをスキップしながら視聴することが可能である。または録画する時にコマーシャル部分を録画カットすものである。
【特許文献１】特開平１１−１６４２５４号公報
【特許文献２】特開平１１−００８８３５号公報
【特許文献３】特開平１１−１８５３１７号公報
【発明の開示】
【発明が解決しようとする課題】
【０００７】
しかしながら、前記従来の装置では、以下の課題がある。
【０００８】
リアルタイムで視聴している時には、コマーシャルを検知してもスキップしたり早送りすることが出来ない。
【０００９】
本発明はこの様な問題を解決し、リアルタイムに番組を見ながらコマーシャルをスキップすることができる装置を提供することを目的とする。
【課題を解決するための手段】
【００１０】
本発明においては、テレビジョン放送を受信する受信手段と、前記受信手段により受信されたテレビジョン放送番組の映像信号及び音声信号を記憶媒体に蓄積する蓄積手段と、前記記憶媒体より前記映像信号と音声信号を読み出して映像モニタと音声モニタに出力する再生手段と、前記蓄積手段による前記テレビジョン放送番組の映像信号及び音声信号の蓄積中に、前記記憶手段に蓄積された前記テレビジョン放送番組の映像信号と音声信号とを通常再生速度よりも遅い所定の速度で再生すると共に、前記テレビジョン番組中の所定の部分をスキップして再生するよう前記再生手段を制御する制御手段とを備える。
【発明の効果】
【００１１】
テレビジョン放送をリアルタイムで視聴しながらコマーシャル部分などの特定の部分をスキップできる。
【発明を実施するための最良の形態】
【００１２】
以下、実施例の動作を概略する。
【００１３】
本形態では、通常の視聴時、チューナからのトランスポートストリーム（ＴＳ）出力をＨＤＤに記憶しながら、再生して表示する。（遅延再生）、この時に間延び再生を行なうことにより、コマーシャルスキップに対応する時間分だけ、先に録画しておく。
【００１４】
コマーシャル検出技術を用い、コマーシャルに来たことがわかると、記録装置からの読み出しをスキップする。
【００１５】
また、充分な時間（１分程度）たまったら、間延び再生をやめ、通常速度で再生することも可能である。
【００１６】
このような、間延び再生をするかどうかは、ユーザが選択できる。リモコン操作により、間延び再生を行なうモードであるスキップモードを選んだ時、常に間延び再生をし、その時は、コマーシャルスキップする。
【００１７】
この時、コマーシャルの存在しない番組であっても、間延び再生は行なわれる。
【００１８】
以下、図を示しながら詳細な説明を行なう。
【００１９】
図２は、本発明第１実施例の受信機周辺のシステム説明図である。
【００２０】
図中、２１はＢＳ放送用アンテナ、２２はセットトップボックスと呼ばれる受信機、２３は受信機用リモコン、２４は受信した映像を表示するディスプレイ、２５は受信機に接続するハードディスクドライブ（ＨＤＤ）、である。
【００２１】
受信機２２は、デジタルＢＳ放送ならびに、アナログ地上波、ならびに現在規格策定中であるデジタル地上波放送を受信できる受信機である。また、リモコン操作により、予約した番組をＨＤＤに記憶させることが出来、また再生させることも可能である。受信並びに再生した番組は、ディスプレイ２４にて表示し、ユーザが楽しむことが出来る。ＨＤＤからの再生速度については、以下説明するようにより、標準の時間より早くまたは遅く再生したり、一部を飛ばして視聴することが可能である。
【００２２】
後述のように、番組をゆっくり視聴し、コマーシャルスキップするような機能を働かせるには、ユーザからのリモコン指示により所定のキーを押したり、メニューから選択することにより、動作を開始する。
【００２３】
また、再生速度については、あらかじめメニューにて選択しておくことにより、ユーザが好きな速度で視聴することが出来る。
【００２４】
以下、図を使って詳細に説明する。
【００２５】
図１は、本発明第１実施例の受信機のブロック図である。
【００２６】
図中、１はアンテナで受信した電波から所望の周波数のアナログ映像信号のみを取り出すチューナ、２は映像信号をデジタル化し圧縮するエンコーダ、３は受信した電波から所望の周波数の圧縮状態のデジタル映像信号のみを取り出すチューナ、４はデジタル映像その他を記録するハードディスクドライブ（以下ＨＤＤと略す）、５はＨＤＤ１４を制御し必要に応じて映像信号をＨＤＤから読み書きするコントローラ、６はＨＤＤから読み出したデジタル映像を一旦ためておくバッファ、７はデジタル映像の伸張を行なうデコーダー、８は表示画面に相当する描画領域を持つビデオＲＡＭ、９は表示信号をアナログ化するＤＡ変換器、１０は映像中からコマーシャルの始まりおよび終わり部分を検出する判定器、１１はブロック全体の動きを制御するＣＰＵ、１２は圧縮デジタル信号から映像と音声を分離するデマルチプレクサ、１３は音声の伸張をするデコーダー、１４は音声の高さを調整するピッチ変換器、１５は音声をアナログ化するＤＡ変換器、である。
【００２７】
以上の構成にての動作を以下説明する。
【００２８】
アナログ番組を視聴する場合、チューナ１で所望の番組をチューニングし、アナログのＮＴＳＣ映像信号をエンコーダ２にてＡＤ変換するとともに、ＭＰＥＧ２の符号化をおこないトランスポートストリーム（ＴＳ）出力を得る。デジタル番組を視聴する場合は、チューナ１３で所望の番組をチューニングし、復調するとチューナからのトランスポートストリーム（ＴＳ）出力がえられる。
【００２９】
これらのＴＳ信号を、ＨＤＤコントローラ５を介して、ＨＤＤ４に書き込む。同時に同番組をＨＤＤ４から読み出し、バッファ６へと転送する。この読み出し間隔は、書き込み間隔とは独立に制御される。
【００３０】
番組中では、書き込みよりも遅い間隔で読み出しを行ない、コマーシャル中ではとばして読み出す。バッファ６は、ＨＤＤ４から読み出すＴＳの速度とデコードする速度（例えば０．９〜３倍）が微妙にずれてしまうので、それを調整するためにある。次にデマルチプレクサ１２では、ＴＳ信号からヘッダ情報、映像データ、音声データに分離する。デコーダー７では、映像を伸張し、デコーダー１３では、映像を伸張する。伸張した映像データはＶＲＡＭ８に展開し、ＣＰＵ１１が描画するオンスクリーンディスプレイ情報と合わせられる。ＶＲＡＭ８からは、表示器のフレーム周波数に合わせて読み出され、ＤＡ変換器９でアナログに変換後、表示機で表示する。伸張した音声データは、ピッチ変換器１４にて番組中の音程を元の高さに変換した後、ＤＡ変換後アンプに送られ、スピーカなどから再生される。
【００３１】
図３は、ＨＤＤ４に対して書き込まれるデータと読み出されたデータの様子を示す図である。
【００３２】
図中、上側の線が、放送局から送られてくる番組をＨＤＤ４から読み出した番組およびそのタイムコードを示す。下側の線が、視聴している番組とそのタイムコードを示す。
【００３３】
例えば、視聴している番組の内容部分である３１が、１０分間続くとする。この場合タイムコード００：００：００から００：１０：００までである。それに応じて、本発明装置のユーザは、本来の時間の１．１倍ゆっくりした番組を視聴する。この場合、タイムコードは００：００：００から００：１０：００までの１０分間であるが、視聴時間にすると１１分間に相当する。
【００３４】
次に、タイムコード００：１０：００から００：１１：００まで、コマーシャル部分３２がある。このコマーシャル部分をスキップするために、タイムコード００：１０：００から００：１１：００までは、視聴しないでとばす。
【００３５】
同様に番組の内容部分３３は、タイムコード００：１１：００から００：２１：００まで１０分間続く、その番組に相当する部分３７をユーザは１．１倍の時間である１１分間かけて視聴する。
【００３６】
次に、タイムコード００：２１：００から００：２３：００まで、コマーシャル部分３４がある。このコマーシャル部分を３８ではスキップするが、全てをスキップすると視聴部分が番組を追い越してしまい、表示できなくなってしまう。そこでタイムコード００：２１：００から００：２２：００までは、視聴しないでとばし、コマーシャル部分の後半タイムコード００：２２：００から００：２３：００までは、コマーシャル３８をそのまま視聴する。
【００３７】
最後に番組の内容部分３５は、タイムコード００：２３：００から００：３３：００まで１０分間続く、その番組に相当する部分３９をユーザは１．１倍の時間である１１分間かけて視聴するので、全番組の時間３３分間に対し、全視聴時間は３４分間になる。そのうちコマーシャル時間は３分間であり、コマーシャル視聴時間は１分間である。
【００３８】
１０分の番組部分を１１分かけて表示する時は、１０フレームごとに映像フレームを２度表示する。これは、デコーダー７からの出力をＶＲＡＭ８に書き込むときに１フレーム分待たすよう制御する。
【００３９】
ここで、コマーシャル部分の検出方法について述べる。
【００４０】
コマーシャル部分の検出については、公知の技術を用いることができる。例えば、番組とコマーシャル間のブラックフレームを検出することにより検出できる。
【００４１】
また、番組がステレオ放送以外のモノラル放送や２ヶ国語放送だった場合、コマーシャルはステレオ放送が多いので、音声モードが切り替わったことで検出できる。
【００４２】
また、デジタル放送においては、コマーシャルのイン（Ｉｎ）点とアウト（Ｏｕｔ）点とをそれぞれ示すキュー情報を、ＰＳＩ（ＰｒｏｇｒａｍＳｐｅｃｉｆｉｃ  Ｉｎｆｏｒｍａｔｉｏｎ：プログラム仕様情報）から取り出すことにより、検出できる。
【００４３】
次に、音程の変換方法について述べる。
【００４４】
前述のように、番組を１０／１１＝０．９倍速で視聴する時、音声や音楽の音程が低くなってしまう。これをもとの音程にもどす操作をする必要がある。この音程ないし音声ピッチの変換方法については、特開平０９−１９８０６４や２０００−１３８５９１等に示されている技術を用いることができる。
【００４５】
本形態において、番組がコマーシャルの付随しないようなものでも、本機能を実施することによれば、番組中の動作や話し言葉がゆっくりになるので、特にユーザがお年よりの場合に有効である。
【００４６】
次に、第２の実施形態として、コマーシャル部分を早送りで視聴する場合を示す。
【００４７】
図４は、第２の実施形態におけるＨＤＤ４の書き込みデータと読み出しデータの様子を示す図である。
【００４８】
図中、上側の線は、第１の実施形態と同じく、放送局から送られてくる番組をＨＤＤから読み出した番組とそのタイムコードを示す。下側の線は、第２実施例の視聴している番組とそのタイムコードを示す。
【００４９】
視聴している番組の内容部分である３１が、１０分間続くとする。この場合タイムコード００：００：００から００：１０：００までである。それに応じて、ユーザは、４１にて本来の時間の１．１倍ゆっくりした番組を視聴する。このときタイムコードは００：００：００から００：１０：００までの１０分間であるが、視聴時間にすると１１分間に相当する。次に、タイムコード００：１０：００から００：１１：００まで、コマーシャル部分３２がある。このコマーシャル部分を４２にて早送りで視聴する。ここでのコマーシャル部分は、１分なので、３倍速で表示すると視聴に２０秒かかる。６倍速の場合は１０秒である。
【００５０】
同様に番組の内容部分３３は、タイムコード００：１１：００から００：２１：００まで１０分間続くとすると、その番組に相当する部分３７を、ユーザは４３にて１．１倍の時間である１１分間かけて視聴する。
【００５１】
次に、タイムコード００：２１：００から００：２３：００まで、コマーシャル部分３４がある。
【００５２】
このコマーシャル部分を４４にて早送りで視聴する。ここでのコマーシャル部分は、２分なので、３倍速で表示すると視聴に４０秒かかる。６倍速の場合は２０秒である。
【００５３】
ここで６倍速の場合、視聴部分がコマーシャルを追い越してしまい、表示できなくなってしまう。そこで、放送中のコマーシャル部分においついた時点で、早送りを止め、コマーシャル３８をそのまま視聴する。
【００５４】
最後に番組３５は、タイムコード００：２３：００から００：３３：００まで１０分間続く、その番組に相当する部分３９をユーザは４５にて１．１倍の時間である１１分間かけて視聴するので、全番組の時間３３分間に対し、全視聴時間は３倍速の場合、３５分間になる。６倍速の場合、３４分間になる。
【００５５】
１０分の番組部分を１１分かけて表示する時は、１０フレームごとに映像フレームを２度表示する。これは、デコーダーからの出力をＶＲＡＭに書き込むときに１フレーム分待たすよう制御する。
【００５６】
次に早送りをするには、以下の方法がある。
【００５７】
ＴＳ信号中のＭＰＥＧ２データでは、フレームがＩ、Ｂ、Ｂ、Ｐ、Ｂ、Ｂ、Ｉ、Ｂ、Ｂ、Ｐ、Ｂ、Ｂ、Ｉ、Ｂ、Ｂ、Ｐ、Ｂ、Ｂというようにならんでおり、ＩフレームＰフレームＢフレームの順にデータ量が大きく、伸張が容易である。
【００５８】
早送りの場合、Ｂフレームを削除すればＩフレームとＰフレームだけになるので３倍速になり、Ｐフレームも削除してＩフレームだけになれば、６倍速になる。
【００５９】
本形態の場合、早送りしながらコマーシャルをユーザに視聴してもらうので、番組スポンサーに対するメリットがある。また、見たいコマーシャルがあれば、そこで止めて、通常再生速度で見ることも可能である。
【００６０】
また、ＨＤＤ４については、外部にＩＥＥＥ１３９４接続するような形態ではなく、受信機内部に実装するような形態でも、実施できる。この場合を第３の実施形態に示す。
【００６１】
図５は、第３の実施形態における受信機および周辺装置の詳細ブロック図である。
【００６２】
図中、１０１はＢＳ受信アンテナ、１０２はＢＳＣＳ協調チューナモジュール、１０３はスクランブル解除ＩＣ、１０４は、映像とデータを分離するデマックス、１０５から１０７は、１０２から１０４にそれぞれ対応する同じ機能のブロックモジュール、１０８は映像及び音声を伸張するデコーダー、１０９はＮＴＳＣアナログ信号をデジタル化するデコーダー、１１０は複数の画面を合成するＩＣ、１１１はディスプレイ用の信号に変換するドライバＩＣ、１１２は外部スピーカ、１１３は外部ディスプレイ、１１４はハードディスク用インタフェース、１１５はハードディスク、１１６は受信機全体を制御するマイクロプロセッサ、１１７はデータを一時記憶するメモリ、１１８はデータを表示するためのグラフィックコントローラ、１１９はカードインタフェース、１２０は外部から静止画を読み込むコンパクトフラッシュ（R）カード、１２１は無線インタフェースカード、１２２は無線を使用するリモコン、１２３は無線を使用して接続する携帯電話、１２４は電話回線と接続するためのモデム、１２５は外部との電話接続部、１２６はＩＥＥＥ１３９４インタフェースＩＣ、１２７は外部ビデオカメラ、１２８は外部Ｄ−ＶＨＳビデオ、１２９は外部ＤＶＤ−ＲＡＭ、１３０は外部接続のデジタル地上波受信機、である。
【図面の簡単な説明】
【００６３】
【図１】第１の実施形態の受信機のブロック図である。
【図２】第１の実施形態の受信機周辺のシステム説明図である。
【図３】第１の実施形態のタイムコードの関係を説明した図である。
【図４】第２の実施形態のタイムコードの関係を説明した図である。
【図５】第３の実施形態の受信機および周辺装置の詳細ブロック図である。
【図１】
2005142821.tif 000003
【図２】
2005142821.tif 000004
【図３】
2005142821.tif 000005
【図４】
2005142821.tif 000006
【図５】
2005142821.tif 000007